【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
画像を複数のイメージブロックへ分割する分割手段と、
前記分割手段で得られたイメージブロックを分割して２次元に配列された所定数の区画を取得する取得手段と、
前記取得手段で取得した前記所定数の前記区画の輝度情報に基づいて前記イメージブロックの画像のエッジ方向を判定する第１判定手段と、
前記第１判定手段でエッジ方向を判定できなかった場合に、前記イメージブロックにおける区画の生成の仕方を変更することにより、前記所定数の変更された区画を生成する生成手段と、
前記生成手段で生成した前記所定数の前記変更された区画の輝度情報に基づいてエッジ方向を判定し、該判定したエッジ方向を前記イメージブロックの画像のエッジ方向とする第２判定手段と、
前記第１判定手段または前記第２判定手段の判定結果にしたがって前記イメージブロックのエッジ方向を決定する決定手段とを備えることを特徴とする画像処理装置。
【請求項２】
前記生成手段は、前記イメージブロックの大きさを変更し、大きさが変更されたイメージブロックを前記所定数の区画に分割することにより前記所定数の前記変更された区画を生成することを特徴とする請求項１に記載の画像処理装置。
【請求項３】
前記生成手段は、前記イメージブロックを前記所定数の区画へ分割する際に、前記イメージブロックの縦方向と横方向の分割の比率を変更することにより、前記所定数の前記変更された区画を生成することを特徴とする請求項１に記載の画像処理装置。
【請求項４】
前記第１判定手段でエッジ方向を判定できなかった場合に、前記イメージブロック内の全画像の輝度ヒストグラムに基づいて前記イメージブロックにおけるエッジの存在の可能性を判定する第３判定手段と、
前記第３判定手段で前記イメージブロックにエッジの存在する可能性があると判定された場合に、前記生成手段と前記第２判定手段による処理を実行させる制御手段とを更に備えることを特徴とする請求項１乃至３の何れか１項に記載の画像処理装置。
【請求項５】
前記分割手段は、入力された画像を複数のサブイメージへ分割し、更に前記複数のサブイメージの各々を分割して前記複数のイメージブロックを取得し、
前記複数のサブイメージの各々について、前記決定手段によって決定された各イメージブロックのエッジ方向のヒストグラムを生成して、前記入力された画像の特徴量とする特徴量生成手段を更に備えることを特徴とする請求項１乃至４の何れか１項に記載の画像処理装置。
【請求項６】
画像処理装置の制御方法であって、
分割手段が、画像を複数のイメージブロックへ分割する分割工程と、
取得手段が、前記分割工程で得られたイメージブロックを分割して２次元的に配列された所定数の区画を取得する取得工程と、
第１判定手段が、前記取得工程で取得した前記所定数の前記区画の輝度情報に基づいて前記イメージブロックの画像のエッジ方向を判定する第１判定工程と、
生成手段が、前記第１判定工程でエッジ方向を判定できなかった場合に、前記イメージブロックにおける区画の生成の仕方を変更することにより、前記所定数の変更された区画を生成する生成工程と、
第２判定手段が、前記生成工程で生成した前記所定数の前記変更された区画の輝度情報に基づいてエッジ方向を判定し、該判定したエッジ方向を前記イメージブロックの画像のエッジ方向とする第２判定工程と、
決定手段が、前記第１判定工程または前記第２判定工程の判定結果にしたがって前記イメージブロックのエッジ方向を決定する決定工程とを有することを特徴とする画像処理装置の制御方法。
【請求項７】
前記生成工程では、前記イメージブロックの大きさを変更し、大きさが変更されたイメージブロックを前記所定数の区画に分割することにより前記所定数の前記変更された区画を生成することを特徴とする請求項６に記載の画像処理装置の制御方法。
【請求項８】
前記生成工程では、前記イメージブロックを前記所定数の区画へ分割する際に、前記イメージブロックの縦方向と横方向の分割の比率を変更することにより、前記所定数の前記変更された区画を生成することを特徴とする請求項６に記載の画像処理装置の制御方法。
【請求項９】
前記第１判定工程でエッジ方向を判定できなかった場合に、第３判定手段が、前記イメージブロック内の全画像の輝度ヒストグラムに基づいて前記イメージブロックにおけるエッジの存在の可能性を判定する第３判定工程と、
制御手段が、前記第３判定工程で前記イメージブロックにエッジの存在する可能性があると判定された場合に、前記生成工程と前記第２判定工程による処理を実行させる制御工程とを更に備えることを特徴とする請求項６乃至８の何れか１項に記載の画像処理装置の制御方法。
【請求項１０】
前記分割工程では、入力された画像を複数のサブイメージへ分割し、更に前記複数のサブイメージの各々を分割して前記複数のイメージブロックを取得し、
特徴量生成手段が、前記複数のサブイメージの各々について、前記決定工程によって決定された各イメージブロックのエッジ方向のヒストグラムを生成して、前記入力された画像の特徴量とする特徴量生成工程を更に有することを特徴とする請求項６乃至９の何れか１項に記載の画像処理装置の制御方法。
【請求項１１】
画像を複数のサブイメージへ分割し、各サブイメージを複数のイメージブロックへ分割する分割手段と、
前記分割手段で得られたイメージブロックを分割して２次元に配列された所定数の区画からなる区画集合を取得する取得手段と、
前記取得手段で取得した前記複数の区画集合のそれぞれについて、区画の輝度情報に基づいてエッジ方向を判定することにより、各サブイメージについてエッジ方向のヒストグラムを生成する判定手段と、
前記分割手段による前記サブイメージの分割の仕方を変えて異なるサイズの複数のイメージブロックを生成させ、前記判定手段にエッジ方向のヒストグラムを生成させることにより、複数のヒストグラムを生成する生成手段と、
前記生成手段により生成された複数のヒストグラムのうち、最も度数の大きいヒストグラムを対応するサブイメージのエッジヒストグラムとする決定手段とを備えることを特徴とする画像処理装置。
【請求項１２】
画像処理装置の制御方法であって、
分割手段が、画像を複数のサブイメージへ分割し、各サブイメージを複数のイメージブロックへ分割する分割工程と、
取得手段が、前記分割工程で得られたイメージブロックを分割して２次元に配列された所定数の区画からなる区画集合を取得する取得工程と、
判定手段が、前記取得工程で取得された前記複数の区画集合のそれぞれについて、区画の輝度情報に基づいてエッジ方向を判定することにより、各サブイメージについてエッジ方向のヒストグラムを生成する判定工程と、
生成手段が、前記サブイメージの分割の仕方を変えて異なるサイズの複数のイメージブロックを前記分割工程に生成させ、前記判定工程にエッジ方向のヒストグラムを生成させることにより、複数のヒストグラムを生成する生成工程と、
決定手段が、前記生成工程で生成された複数のヒストグラムのうち、最も度数の大きいヒストグラムを対応するサブイメージのエッジヒストグラムとする決定工程とを有することを特徴とする画像処理装置の制御方法。
【請求項１３】
コンピュータに、請求項６乃至１０，１２のいずれか１項に記載の画像処理装置の制御方法の各工程を実行させるコンピュータプログラム。
【手続補正２】
【補正対象書類名】明細書
【補正対象項目名】００１２
【補正方法】変更
【補正の内容】
【００１２】
上記の目的を達成するための本発明の一態様による画像処理装置は以下の構成を備える。即ち、
画像を複数のイメージブロックへ分割する分割手段と、
前記分割手段で得られたイメージブロックを分割して２次元に配列された所定数の区画を取得する取得手段と、
前記取得手段で取得した前記所定数の前記区画の輝度情報に基づいて前記イメージブロックの画像のエッジ方向を判定する第１判定手段と、
前記第１判定手段でエッジ方向を判定できなかった場合に、前記イメージブロックにおける区画の生成の仕方を変更することにより、前記所定数の変更された区画を生成する生成手段と、
前記生成手段で生成した前記所定数の前記変更された区画の輝度情報に基づいてエッジ方向を判定し、該判定したエッジ方向を前記イメージブロックの画像のエッジ方向とする第２判定手段と、
前記第１判定手段または前記第２判定手段の判定結果にしたがって前記イメージブロックのエッジ方向を決定する決定手段とを備える。
【手続補正３】
【補正対象書類名】明細書
【補正対象項目名】００１３
【補正方法】変更
【補正の内容】
【００１３】
また、上記の目的を達成するための本発明の他の態様による画像処理装置の制御方法は、
分割手段が、画像を複数のイメージブロックへ分割する分割工程と、
取得手段が、前記分割工程で得られたイメージブロックを分割して２次元的に配列された所定数の区画を取得する取得工程と、
第１判定手段が、前記取得工程で取得した前記所定数の前記区画の輝度情報に基づいて前記イメージブロックの画像のエッジ方向を判定する第１判定工程と、
生成手段が、前記第１判定工程でエッジ方向を判定できなかった場合に、前記イメージブロックにおける区画の生成の仕方を変更することにより、前記所定数の変更された区画を生成する生成工程と、
第２判定手段が、前記生成工程で生成した前記所定数の前記変更された区画の輝度情報に基づいてエッジ方向を判定し、該判定したエッジ方向を前記イメージブロックの画像のエッジ方向とする第２判定工程と、
決定手段が、前記第１判定工程または前記第２判定工程の判定結果にしたがって前記イメージブロックのエッジ方向を決定する決定工程とを有する。